(57)【要約】      （修正有）【課題】紙資源の節約というエコロジーの観点に立ち、包装用紙箱用として消費される紙原料の使用量を削減させことを主目的としながら、開封時におけるカッターや封鎖時における粘着テープによって内容物が損傷せず、かつ外観を損なうことがないようにした包装用紙箱を提供する。【解決手段】内フラップ２０は、その形状を仮に方形と仮想した場合に比べて、その仮想方形Ｋの左右両側部分にフラップ面積を減少させるための除去部２５、２５が形成され、かつ箱組立状態で外フラップ１０、１０同士の先端縁突合せ部に重なる中央部分は非除去域として形成されている。【選択図】図１
0003167738.tif 000002
【実用新案登録請求の範囲】
【請求項１】
対向する第１胴壁部（１）、（１）と、対向する第２胴壁部（２）、（２）とにより形成された四角筒状胴部（３）と、
前記第１胴壁部（１）、（１）の上下縁に連接された外フラップ（１０）、（１０）と、
前記第２胴壁部（２）、（２）の上下縁に連接された内フラップ（２０）、（２０）と、を備え、
箱組立状態で前記外フラップ（１０）、（１０）がそれぞれ前記内フラップ（２０）、（２０）の外側に重なると共に、その先端縁同士が突き合わされるように形成された包装用紙箱において、
前記内フラップ（２０）は、その形状を仮に方形と仮想した場合に比べて、その仮想方形（Ｋ）の左右両側部分にフラップ面積を減少させるための除去部（２５）、（２５）が形成され、かつ箱組立状態で外フラップ（１０）、（１０）同士の先端縁突合せ部（９）に重なる中央部分は非除去域として形成されていることを特徴とする包装用紙箱。
【請求項２】
請求項１記載の包装用紙箱において、
前記上下内フラップ（２０）は第２胴壁部（２）との連接縁（１４）を底辺とした台形に形成されている包装用紙箱。
【請求項３】
請求項１記載の包装用紙箱において、
前記上下内フラップ（２０）は第２胴壁部（２）との連接縁（１４）を底辺とした凸形に形成されている包装用紙箱。
【請求項４】
請求項１記載の包装用紙箱において、
前記上下内フラップ（２０）は第２胴壁部（２）との連接縁（１４）を底辺としたエ形に形成されている包装用紙箱。
【請求項５】
請求項１記載の包装用紙箱において、
前記上下内フラップ（２０）の左右両側部に形成される除去部（２５）、（２５）が抜き孔で形成されている包装用紙箱。
【考案の詳細な説明】
【技術分野】
【０００１】
本考案はダンボール箱等の包装用紙箱に係り、特に内フラップの形状に特徴を持たせた包装用紙箱に関する。
【背景技術】
【０００２】
従来のダンボール箱は、対向する第１胴壁部と、対向する第２胴壁部との４枚の胴壁部により四角筒状胴部が形成され、前記第１胴壁部の上下縁に外フラップが連接され、第２胴壁部の上下縁に内フラップが連接された構造になっている(特許文献１参照)。
【０００３】
この場合、箱組立状態で外フラップはそれぞれ内フラップの外側に重なるため、内フラップは外フラップの下敷きとして機能する。
【０００４】
そして、箱組立状態で箱内に内容物を収容させ、内フラップを閉じると共に、その外側に重なるように外フラップを閉じ、外フラップ同士の先端縁突合せ部を粘着テープより封鎖することで包装用紙箱としての包装ができる。
【先行技術文献】
【特許文献】
【０００５】
【特許文献１】特開平１１−２６３３３３号公報
【考案の概要】
【考案が解決しようとする課題】
【０００６】
しかしながら、従来のダンボール箱は、内フラップの形状が胴壁部との連接縁を底辺とした方形（通常は長方形）に形成されており、そこには内フラップの面積を削減して紙資源である紙原料の使用量を削減させるための考慮はなされていない。
【０００７】
また、包装用紙箱を開封するに際し、外フラップ同士の先端縁突合せ部にカッターを走らせて粘着テープを切断していくことが行われるが、その場合、カッターの刃先が内容物に接触して内容物を切損させたり傷付けたりすることがある。
また、粘着テープにより包装用紙箱を封鎖するときに、粘着テープが内容物に粘着してしまい、内容物を汚損したり傷付けたりすることもある。
【０００８】
本考案は、紙資源の節約というエコロジーの観点に立ち、包装用紙箱用として消費される紙原料の使用量を削減させことを主目的としながら、前述のような開封時におけるカッターや封鎖時における粘着テープによって内容物が損傷せず、かつ外観を損なうことがないようにした包装用紙箱を提供することを課題としている。
【課題を解決するための手段】
【０００９】
上記課題を解決するために、本考案は以下のように構成した。
即ち、本考案の請求項１記載の包装用紙箱は、
対向する第１胴壁部（１）、（１）と、対向する第２胴壁部（２）、（２）とにより形成された四角筒状胴部（３）と、
前記第１胴壁部（１）、（１）の上下縁に連接された外フラップ（１０）、（１０）と、
前記第２胴壁部（２）、（２）の上下縁に連接された内フラップ（２０）、（２０）と、を備え、
箱組立状態で前記外フラップ（１０）、（１０）がそれぞれ前記内フラップ（２０）、（２０）の外側に重なると共に、その先端縁同士が突き合わされるように形成された包装用紙箱において、
前記内フラップ（２０）は、その形状を仮に方形と仮想した場合に比べて、その仮想方形（Ｋ）の左右両側部分にフラップ面積を減少させるための除去部（２５）、（２５）が形成され、かつ箱組立状態で外フラップ（１０）、（１０）同士の先端縁突合せ部（９）に重なる中央部分は非除去域として形成されている。
【００１０】
本考案の請求項２記載の包装用紙箱は、請求項１記載の包装用紙箱において、
前記上下内フラップ（２０）は第２胴壁部（２）との連接縁（１４）を底辺とした台形に形成されている。
【００１１】
本考案の請求項３記載の包装用紙箱は、請求項１記載の包装用紙箱において、
前記上下内フラップ（２０）は第２胴壁部（２）との連接縁（１４）を底辺とした凸形に形成されている。
【００１２】
本考案の請求項４記載の包装用紙箱は、請求項１記載の包装用紙箱において、
前記上下内フラップ（２０）は第２胴壁部（２）との連接縁（１４）を底辺としたエ形に形成されている。
【００１３】
本考案の請求項５記載の包装用紙箱は、請求項１記載の包装用紙箱において、
前記上下内フラップ（２０）の左右両側部に形成される除去部（２５）、（２５）が抜き孔で形成されている。
【考案の効果】
【００１４】
本考案の包装用紙箱は、内フラップの形状に特徴がある。
即ち、内フラップの形状を仮に方形と仮想した場合に比べて、左右両側部分にフラップ面積を減少させるための除去部を形成させ、かつ外フラップ同士の先端縁突合せ部に重なる中央部分には非除去域を形成させたものである。
【００１５】
従って、内フラップの左右両側部分に形成させた除去部によってフラップ面積を減少させることができ、これにより包装用紙箱用として消費される紙原料の使用量を削減させて紙資源の節約というエコロジーを達成できる。
【００１６】
又、外フラップ同士の先端縁突合せ部に重なる中央部分には非除去域を形成させているため、内フラップが持つ下敷き機能を損なうことがなく、カッターによる開封時や粘着テープによる封鎖時における内容物への損傷を防止できる。
【００１７】
又、箱組立状態では内フラップの外側に外フラップが重なるため、外見からは除去部は見えず、箱としての外観を損なうことはない。
【図面の簡単な説明】
【００１８】
【図１】請求項２に対応した実施例１のダンボール箱を示す展開図。
【図２】その実施例１のダンボール箱を示す斜視図。
【図３】その実施例１のダンボール箱を示す平面図。
【図４】請求項３に対応した実施例２のダンボール箱を示す展開図。
【図５】その実施例２のダンボール箱を示す斜視図。
【図６】請求項４に対応した実施例３のダンボール箱を示す展開図。
【図７】その実施例３のダンボール箱を示す斜視図。
【図８】請求項５に対応した実施例４のダンボール箱を示す展開図。
【図９】その実施例４のダンボール箱を示す斜視図。
【考案を実施するための形態】
【００１９】
（実施例１）
以下の各実施例において、包装用紙箱としてダンボール箱を例にとる。
図１、２、３で示す実施例１のダンボール箱は、２面の第１胴壁部１、１と、２面の第２胴壁部２、２を備え、各胴壁部１、２、１、２は折り線８０、８１、８２を介して一体に連接されている。
前記第１胴壁部１の側端には糊代片１１が折り線８３を介して一体に連接され、前記各折り線８０、８１、８２から折り曲げて糊代片１１を第２胴壁部２の側端に接合させることで、第１胴壁部１、１が対向し、第２胴壁部２、２が対向した四角筒状胴部３を形成させることができる。
【００２０】
実施例では、第１胴壁部１の横幅Ｌ１を、第２胴壁部２の横幅Ｌ２よりも広幅に形成させることにより平面視で長方形の四角筒状胴部３を形成させている。尚、前記四角筒状胴部３は平面視で正方形に形成したものでもよい。
【００２１】
前記第１胴壁部１の上下縁にはそれぞれ外フラップ１０、１０が折り線１３を介して一体に連接され、第２胴壁部２の上下縁にはそれぞれ内フラップ２０、２０が連接縁１４となる折り線を介して一体に連接されている。
【００２２】
前記外フラップ１０の高さＨ１は前記第２胴壁部の横幅Ｌ２の半分(１／２)に形成され、前記内フラップ２０の高さＨ２は外フラップ１０の高さＨ１と同一に形成されている。
【００２３】
次に、前記内フラップ２０の形状を説明すると、仮に内フラップが方形と仮想した場合、その仮想方形Ｋ（図１において平行斜線部を含めた長方形）の左右両側部分にフラップ面積を減少させるための除去部２５、２５（図１における平行斜線部）が形成されている。
さらに、箱組立状態で外フラップ１０、１０同士の先端縁突合せ部９に重なる中央部分は除去しない非除去域として形成されている。
【００２４】
そして、この実施例１のダンボール箱では、前記内フラップ２０の形状は、仮想方形Ｋの左右の角部分に三角形状の除去部２５、２５を形成することで、第２胴壁部２との連接縁１４を底辺とした台形に形成されている。
【００２５】
（実施例２）
図４、５で示す実施例２のダンボール箱では、内フラップ２０の形状が、仮想方形Ｋの左右の角部分に方形の除去部２５、２５（図４における平行斜線部）を形成させることで、第２胴壁部２との連接縁１４を底辺とした凸形に形成されている。
その他の構成は実施例１と同様である。
【００２６】
（実施例３）
図６、７で示す実施例３のダンボール箱では、内フラップ２０の形状が、仮想方形Ｋの左右の側縁から内向きに除去部２５、２５（図６における平行斜線部）を形成することで、第２胴壁部２との連接縁１４を底辺としたエ形に形成されている。
【００２７】
この実施例３では、内フラップ２０の左右の角部分は除去されずに残っているため、この角部分によって箱組立状態での第１胴壁部１、１の内向き変形を支えることができ、除去部２５、２５を形成したことによる箱強度の低下を抑制できる。
その他の構成は実施例１と同様である。
【００２８】
（実施例４）
図８、９で示す実施例４のダンボール箱では、内フラップ２０の外形輪郭が長方形に形成されたままで、その左右両側部に抜き孔による除去部２５、２５（図８における平行斜線が形成されている。
前記除去部２５となる抜き孔は、円形、楕円形、角形等を問わない。
【００２９】
この実施例４でも、内フラップ２０の左右の角部分は除去されずに残っているため、この角部分によって箱組立状態での第１胴壁部の内向き変形を支えることができ、除去部２５、２５を形成したことによる箱強度の低下を抑制できる。
その他の構成は実施例１と同様である。
【００３０】
尚、前記各実施例では、ダンボール紙による包装用紙箱として例にとったが、ダンボール紙に限らず、厚板紙やボール紙による包装用紙箱にも本考案を適用できる。
【００３１】
以上のように、本考案では、内フラップの左右両側部分に除去部を形成させてフラップ面積を減少させたので、包装用紙箱用として消費される紙原料の使用量を削減させて紙資源の節約というエコロジーを達成できる。
【００３２】
又、外フラップ同士の先端縁突合せ部に重なる中央部分には非除去域を形成させたので、内フラップが持つ下敷き機能を損なうことはなく、カッターによる開封時や粘着テープによる封鎖時における内容物への損傷を防止できる。
【００３３】
又、箱組立状態では内フラップの外側に外フラップが重なるため、内フラップに形成させた切除部は外見からは見えず、箱としての外観を損なうことはない。
【符号の説明】
【００３４】
１  第１胴壁部
１０  外フラップ
１４  連接縁
２  第２胴壁部
２０  内フラップ
３  四角筒状胴部
Ｋ  仮想方形
２５  除去部
９  先端縁突合せ部
【図１】
0003167738.tif 000003
【図２】
0003167738.tif 000004
【図３】
0003167738.tif 000005
【図４】
0003167738.tif 000006
【図５】
0003167738.tif 000007
【図６】
0003167738.tif 000008
【図７】
0003167738.tif 000009
【図８】
0003167738.tif 000010
【図９】
0003167738.tif 000011